【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
複数のデータ格納部と、
前記複数のデータ格納部からデータを受け、データ列のデータ順を変換するデータ列変換手段と、
前記データ列変換手段からデータを受け、外部パラメータ格納手段に格納されたパラメータデータに基いて、所定の誤り訂正処理を実行する複数の誤り訂正処理手段と、を含み、
前記データ列変換手段は、制御情報を基に、シフト処理に基くローテーション動作を含むバレルシフタ動作によるデータ列変換を行ない、
前記バレルシフタ動作は、出力すべき前記複数の誤り訂正処理手段のグループをまとめて指示するか、又は、前記複数の誤り訂正処理手段を個別に指示することを特徴とするマルチコア型誤り訂正処理システム。
【請求項２】
前記データ列変換手段には、前記制御情報として、前記誤り訂正処理手段からのデータ列変換制御情報と、前記外部パラメータ格納手段に格納されたデータ列変換構成情報が与えられ、
前記データ列変換手段は、前記出力すべき複数の誤り訂正処理手段のグループをまとめて指示するか、又は、前記複数の誤り訂正処理手段を個別に指示する前記バレルシフタ動作を実行するバレルシフタを含むことを特徴とする請求項１に記載のマルチコア型誤り訂正処理システム。
【請求項３】
前記データ列変換手段には、前記制御情報として、前記誤り訂正処理手段からデータ列変換制御情報が与えられ、
前記データ列変換手段は、前記出力すべき複数の誤り訂正処理手段のグループをまとめて指示するか、又は、前記複数の誤り訂正処理手段を個別に指示する前記バレルシフタ動作を実行するバレルシフタを含むことを特徴とする請求項１に記載のマルチコア型誤り訂正処理システム。
【請求項４】
前記データ列変換手段は、前記制御情報を受け、
前記データ列変換手段は、前記出力すべき複数の誤り訂正処理手段のグループをまとめて指示するか、又は、前記複数の誤り訂正処理手段を個別に指示する前記バレルシフタ動作を実行するバレルシフタと、
前記複数のデータ格納部と前記バレルシフタとの間に設けられ、前記制御情報に応答して、前記データ列を各データ格納部から前記バレルシフタに出力するクロスバーと、を含むことを特徴とする請求項１に記載のマルチコア型誤り訂正処理システム。
【請求項５】
複数のメモリバンク部と、
前記複数のメモリバンク部からデータを受け、該データのデータ列をシフトさせることによりデータ順を変換し、出力データを生成するバレルシフタを含むインタコネクト部と、
外部からの制御パラメータを受ける外部インタフェースと、
前記外部インタフェースから受けた制御パラメータ情報を格納する外部パラメータ保持部と、
前記インタコネクト部から前記出力データを受け取り、前記外部パラメータ保持部に格納された前記制御パラメータ情報を基に所定の誤り訂正処理を行う複数の誤り訂正処理部と、を含み、
前記複数の誤り訂正処理部はそれぞれ、誤り訂正演算部と、前記外部パラメータ保持部に格納された前記制御パラメータ情報を基に前記所定の誤り訂正処理を行うように前記誤り訂正演算部を制御する誤り訂正処理制御部と、を含み、
前記インタコネクト部は、前記制御パラメータ情報に応答して、シフト処理に基くローテーション動作を含むバレルシフタ動作によるデータ列変換を実行し、
前記バレルシフタ動作は、出力すべき前記複数の誤り訂正処理部のグループをまとめて指示するか、又は、前記複数の誤り訂正処理部を個別に指示することを特徴とするマルチコア型誤り訂正処理装置。
【請求項６】
前記インタコネクト部には、前記制御パラメータ情報として、前記誤り訂正処理部に含まれている前記誤り訂正処理制御部からのインタコネクト制御情報と、前記外部パラメータ保持部に格納されているインタコネクト構成情報が与えられ、
前記インタコネクト部は、前記インタコネクト制御情報と前記インタコネクト構成情報の双方を用いて前記データ列変換を、前記バレルシフタ動作により行ない、
前記バレルシフタ動作は、前記シフト処理に基くローテーション動作を含み、出力すべき前記複数の誤り訂正処理部のグループをまとめて指示するか、又は、前記複数の誤り訂正処理部を個別に指示することを特徴とする請求項５に記載のマルチコア型誤り訂正処理装置。
【請求項７】
前記インタコネクト部には、前記制御パラメータ情報として、前記誤り訂正処理部に含まれている前記誤り訂正処理制御部からのインタコネクト制御情報が与えられ、
前記インタコネクト部は、出力すべき前記複数の誤り訂正処理部のグループをまとめて指示するか、又は、前記複数の誤り訂正処理部を個別に指示する前記バレルシフタ動作によって、前記データ列変換を実行することを特徴とする請求項５に記載のマルチコア型誤り訂正処理装置。
【請求項８】
前記インタコネクト部には、前記制御パラメータ情報として、前記外部パラメータ保持部に格納されているインタコネクト構成情報が与えられ、
前記インタコネクト部は、出力すべき前記複数の誤り訂正処理部のグループをまとめて指示するか、又は、前記複数の誤り訂正処理部を個別に指示する前記バレルシフタ動作によって、前記データ列変換を実行することを特徴とする請求項５に記載のマルチコア型誤り訂正処理装置。
【請求項９】
データ列と、当該データ列に関する制御情報を受信し、
前記制御情報に応答して、複数の出力装置のグループをまとめて指示するか、又は、前記複数の出力装置を個別に指示して、前記データ列のバレルシフタ動作を行ない、
前記複数の出力装置のグループ或いは個別の前記出力装置によって、前記バレルシフタ動作を受けた前記データ列を選択的に処理することを特徴とする処理方法。
【請求項１０】
マルチコア型誤り訂正処理システムに使用される請求項９に記載された処理方法であって、前記マルチコア型誤り訂正処理システムは、
複数のデータ格納部と、
前記複数のデータ格納部からデータを受け、データ列のデータ順を変換するデータ列変換部と、
前記制御情報を受ける外部入力レジスタと、
前記出力装置としての複数の誤り訂正処理部と、を含み、
前記複数の誤り訂正処理部は、前記データ列変換部からのデータを受信し、前記制御情報に基いて所定の誤り訂正処理を実行するものであり、
前記バレルシフタ動作の実行は、
前記制御情報を受信し、
前記制御情報に応答して、シフト処理に基くローテーション動作を含むバレルシフタ動作であって、前記複数の出力装置としての前記複数の誤り訂正処理部のグループをまとめて指示するか、又は、前記複数の出力装置としての前記複数の誤り訂正処理部を個別に指示するバレルシフタ動作を行なうことを含むことを特徴とする処理方法。
【手続補正２】
【補正対象書類名】図面
【補正対象項目名】図１
【補正方法】変更
【補正の内容】
【図１】
2013179378.tif 000001
【手続補正３】
【補正対象書類名】図面
【補正対象項目名】図２
【補正方法】変更
【補正の内容】
【図２】
2013179378.tif 000002
【手続補正４】
【補正対象書類名】図面
【補正対象項目名】図３
【補正方法】変更
【補正の内容】
【図３】
2013179378.tif 000003
【手続補正５】
【補正対象書類名】図面
【補正対象項目名】図４
【補正方法】変更
【補正の内容】
【図４】
2013179378.tif 000004